(57)【要約】      （修正有）【課題】映像信号が正しく表示されない場合の解析を容易にするプロジェクターを提供する。【解決手段】プロジェクター１は、プロジェクターであって、光源（光源装置１１）と、光源から射出された光を、映像信号に応じて変調する光変調装置（液晶ライトバルブ１２Ｒ，１２Ｇ，１２Ｂ）と、光変調装置で変調された画像光を投写する投写光学系（投写レンズ１３）と、プロジェクター１の本体に備わる表示部２８と、映像信号に関する状態を示す情報を取得する取得部（映像信号判別部３１および制御部２０）と、取得部によって取得された映像信号に関する状態を示す情報を表示部２８に表示させる制御部２０と、を備える。【選択図】図２
2015169754.tif 000002
【特許請求の範囲】
【請求項１】
プロジェクターであって、
光源と、
前記光源から射出された光を、映像信号に応じて変調する光変調装置と、
前記光変調装置で変調された画像光を投写する投写光学系と、
前記プロジェクターの本体に備わる表示部と、
前記映像信号に関する状態を示す情報を取得する取得部と、
前記取得部によって取得された前記映像信号に関する状態を示す情報を前記表示部に表示させる制御部と、
を備えることを特徴とするプロジェクター。
【請求項２】
請求項１に記載のプロジェクターであって、
時刻を計時する計時部をさらに備え、
前記制御部は、前記プロジェクターに対する前記映像信号の入力が安定しているか否かを検出し、前記映像信号の入力が安定していないことを検出すると、前記映像信号の入力が安定していないことを示す情報、および前記映像信号の入力が安定していないことを検出した時刻を示す情報を前記表示部に表示させることを特徴とするプロジェクター。
【請求項３】
請求項１に記載のプロジェクターであって、
前記制御部は、前記プロジェクターを、画像の投写を行う第１の状態から、画像の投写を行わない第２の状態へ移行させ、
前記取得部は、前記プロジェクターが前記第１の状態にある場合、前記第２の状態にある場合のいずれも、前記映像信号に関する状態を示す情報を取得し、
前記制御部は、前記プロジェクターが前記第１の状態にある場合、前記第２の状態にある場合のいずれも、前記表示部に前記映像信号に関する状態を示す情報を表示させることを特徴とするプロジェクター。
【請求項４】
請求項１乃至３のいずれか一項に記載のプロジェクターであって、
前記映像信号は、デジタル映像信号であることを特徴とするプロジェクター。
【請求項５】
請求項４に記載のプロジェクターであって、
前記取得部は、前記デジタル映像信号を供給する映像供給装置と前記プロジェクターとが、映像を表示するために行う手続き上の状態を示す情報を取得することを特徴とするプロジェクター。
【請求項６】
請求項５に記載のプロジェクターであって、
前記映像を表示するために行う手続きには、前記映像供給装置と前記プロジェクターとの物理的な接続を検知する接続検知処理、前記プロジェクターの表示特性に関する情報を取得する表示特性取得処理、前記映像供給装置と前記プロジェクターとのコピープロテクト認証処理、通信におけるエラー率取得処理、メインデータチャネルのレーン数取得処理の少なくとも１つを含むことを特徴とするプロジェクター。
【請求項７】
請求項６に記載のプロジェクターであって、
前記映像を表示するために行う手続きにおける、前記接続検知処理はホットプラグ検知処理であり、前記表示特性取得処理はＥＤＩＤ取得処理であり、前記コピープロテクト認証処理はＨＤＣＰ認証処理であることを特徴とするプロジェクター。
【請求項８】
請求項１乃至７のいずれか一項に記載のプロジェクターであって、
前記取得部が取得した前記映像信号に関する状態を示す情報を記憶する記憶部をさらに備えることを特徴とするプロジェクター。
【請求項９】
請求項８に記載のプロジェクターであって、
前記記憶部は、前記映像信号に関する状態を示す情報を複数記憶可能に構成されていることを特徴とするプロジェクター。
【請求項１０】
請求項８または９に記載のプロジェクターであって、
前記制御部は、前記映像信号の判別時、および、前記プロジェクターの電源オフ操作がなされたときの少なくとも一方で、前記映像信号に関する状態を示す情報を前記取得部に取得させ、前記記憶部に記憶させることを特徴とするプロジェクター。
【請求項１１】
請求項８乃至１０のいずれか一項に記載のプロジェクターであって、
前記制御部は、前記映像信号に関する状態を監視し、
前記映像信号に関する状態が不規則に変化していることを検出した場合に、前記映像信号に関する状態を示す情報を前記記憶部に記憶させることを特徴とするプロジェクター。
【請求項１２】
請求項８乃至１１のいずれか一項に記載のプロジェクターであって、
前記プロジェクター外部と通信可能な通信部をさらに備え、
前記制御部は、前記記憶部に記憶された前記映像信号に関する状態を示す情報を読み出して、前記通信部に送信させることを特徴とするプロジェクター。
【請求項１３】
請求項１２に記載のプロジェクターであって、
前記制御部は、前記取得部が取得した前記映像信号に関する状態を示す情報を、前記通信部に送信させることを特徴とするプロジェクター。
【請求項１４】
請求項１乃至１３のいずれか一項に記載のプロジェクターであって、
前記制御部は、前記映像信号に関する状態が不規則に変化していることを検出した場合に、前記プロジェクターを初期化する命令を発行することを特徴とするプロジェクター。
【請求項１５】
請求項４乃至１４のいずれか一項に記載のプロジェクターであって、
前記デジタル映像信号は、ＨＤＭＩ、ＨＤＢａｓｅＴ、またはＤｉｓｐｌａｙＰｏｒｔのいずれかであることを特徴とするプロジェクター。
【請求項１６】
光源と、前記光源から射出された光を映像信号に応じて変調する光変調装置と、前記光変調装置で変調された画像光を投写する投写光学系と、を有するプロジェクターの制御方法であって、
前記プロジェクターは、前記プロジェクターの本体に備わる表示部を備え、
前記映像信号に関する状態を示す情報を取得する取得ステップと、
前記取得ステップによって取得された前記映像信号に関する状態を示す情報を前記表示部に表示させる制御ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、画像を投影する投影装置のプロジェクター本体またはリモコン等の付属装置に、投影装置に関する補助画像を表示する補助表示装置を備えるものが開示されている（特許文献１）。このようなプロジェクターによれば、補助表示装置に、光源ランプ故障や空冷ファン停止等の異常を表示したり、映像信号異常または未入力を表示したりすることができる。
【先行技術文献】
【特許文献】
【０００３】
【特許文献１】特開２００３−２８００８８号公報
【発明の概要】
【発明が解決しようとする課題】
【０００４】
近年、各種のデジタル映像信号の通信規格が普及している。このようなデジタル通信規格においては、ホットプラグ検出技術が用いられたり、暗号化技術（コピープロテクト技術）が用いられたりすることがある。しかしながら、特許文献１に記載のプロジェクターのように、「映像信号異常または未入力」を表示するだけでは、映像信号が正しく表示されない不具合が発生した場合の解析が難しかった。このため、ユーザーは、何が問題で、どう対処すれば映像を表示することができるのか分からないという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、プロジェクターであって、光源と、前記光源から射出された光を、映像信号に応じて変調する光変調装置と、前記光変調装置で変調された画像光を投写する投写光学系と、前記プロジェクターの本体に備わる表示部と、前記映像信号に関する状態を示す情報を取得する取得部と、前記取得部によって取得された前記映像信号に関する状態を示す情報を前記表示部に表示させる制御部と、を備えることを特徴とする。
【０００７】
このようなプロジェクターによれば、光源から射出された光を変調して投写する投写光学系の他に、プロジェクターの本体に表示部を備える。取得部は、映像信号に関する状態を示す情報を取得する。制御部は、映像信号に関する状態を示す情報を表示部に表示させる。これにより、映像信号が正しく投写表示されない事態が発生した場合に、映像信号に関する状態を示す情報を表示部に表示させることで、不具合の解析が容易になる。
【０００８】
［適用例２］上記適用例に係るプロジェクターにおいて、時刻を計時する計時部をさらに備え、前記制御部は、前記プロジェクターに対する前記映像信号の入力が安定しているか否かを検出し、前記映像信号の入力が安定していないことを検出すると、前記映像信号の入力が安定していないことを示す情報、および前記映像信号の入力が安定していないことを検出した時刻を示す情報を前記表示部に表示させることを特徴とする。
【０００９】
このようなプロジェクターによれば、計時部を備える。制御部は、プロジェクターに対する映像信号の入力が安定しているか否かを検出する。制御部が、映像信号の入力が安定していないことを検出すると、映像信号の入力が安定していないことを示す情報、および映像信号の入力が安定していないことを検出した時刻を示す情報を、表示部に表示させる。これにより、ユーザーは、映像信号の入力が安定していないこと、およびその時刻を表示部により確認することができる。そして、不安定になっている映像信号の入力についての解析を行うことが可能になる。
【００１０】
［適用例３］上記適用例に係るプロジェクターにおいて、前記制御部は、前記プロジェクターを、画像の投写を行う第１の状態から、画像の投写を行わない第２の状態へ移行させ、前記取得部は、前記プロジェクターが前記第１の状態にある場合、前記第２の状態にある場合のいずれも、前記映像信号に関する状態を示す情報を取得し、前記制御部は、前記プロジェクターが前記第１の状態にある場合、前記第２の状態にある場合のいずれも、前記表示部に前記映像信号に関する状態を示す情報を表示させることを特徴とする。
【００１１】
このようなプロジェクターによれば、制御部は、プロジェクターを、画像の投写を行う第１の状態から、画像の投写を行わない第２の状態へ移行させることができる。取得部は、プロジェクターが第１の状態である場合、および、第２の状態である場合のいずれにおいても、映像信号に関する状態を示す情報を取得する。制御部は、取得部が取得した情報に基づき、プロジェクターが第１の状態である場合、および、第２の状態である場合のいずれにおいても、表示部に映像信号に関する状態を示す情報を表示させる。これにより、画像の投写を行わない第２の状態においても、ユーザーは、表示部により、映像信号に関する状態を示す情報を認識することが可能になる。
【００１２】
［適用例４］上記適用例に係るプロジェクターにおいて、前記映像信号は、デジタル映像信号であることを特徴とする。
【００１３】
［適用例５］上記適用例に係るプロジェクターにおいて、前記取得部は、前記デジタル映像信号を供給する映像供給装置と前記プロジェクターとが、映像を表示するために行う手続き上の状態を示す情報を取得することを特徴とする。
【００１４】
このようなプロジェクターによれば、取得部は、デジタル映像信号を供給する映像供給装置とプロジェクターとが、映像を表示するために行う手続き（ステップ）上の状態を示す情報を取得する。これにより、デジタル映像信号において、映像信号が正しく投写表示されない事態が発生した場合に、映像を表示するために行う手続き上の状態を示す情報を表示部に表示することで、不具合の解析が容易になる。
【００１５】
［適用例６］上記適用例に係るプロジェクターにおいて、前記映像を表示するために行う手続きには、前記映像供給装置と前記プロジェクターとの物理的な接続を検知する接続検知処理、前記プロジェクターの表示特性に関する情報を取得する表示特性取得処理、前記映像供給装置と前記プロジェクターとのコピープロテクト認証処理、通信におけるエラー率取得処理、メインデータチャネルのレーン数取得処理の少なくとも１つを含むことを特徴とする。
【００１６】
このようなプロジェクターによれば、映像を表示するために行う手続きには、接続検知処理、表示特性取得処理、コピープロテクト認証処理、通信におけるエラー率取得処理、メインデータチャネルのレーン数取得処理の少なくとも１つを含んでいる。これにより、デジタル映像信号において、映像信号が正しく投写表示されない事態が発生した場合に、上記の映像を表示するために行う手続き上の状態を表示部に表示することで、不具合の解析が容易になる。
【００１７】
［適用例７］上記適用例に係るプロジェクターにおいて、前記映像を表示するために行う手続きにおける、前記接続検知処理はホットプラグ検知処理であり、前記表示特性取得処理はＥＤＩＤ（Extended Display Identification Data：拡張ディスプレイ識別データ）取得処理であり、前記コピープロテクト認証処理はＨＤＣＰ（High−bandwidth Digital Content Protection system）認証処理であることを特徴とする。
【００１８】
このようなプロジェクターによれば、接続検知処理はホットプラグ検知処理であり、表示特性取得処理はＥＤＩＤ取得処理であり、コピープロテクト認証処理はＨＤＣＰ認証処理である。これにより、デジタル映像信号において、映像信号が正しく投写表示されない事態が発生した場合に、上記の映像を表示するために行う手続き上の状態を表示部に表示することで、不具合の解析が容易になる。
【００１９】
［適用例８］上記適用例に係るプロジェクターにおいて、前記取得部が取得した前記映像信号に関する状態を示す情報を記憶する記憶部をさらに備えることを特徴とする。
【００２０】
このようなプロジェクターによれば、記憶部は、取得部が取得した映像信号に関する状態を示す情報を記憶する。そして、表示部に表示させることができる。これにより、記憶された映像信号に関する状態を解析することによって、映像信号が正しく投写表示されない事態が発生した場合の不具合の解析が容易になる。
【００２１】
［適用例９］上記適用例に係るプロジェクターにおいて、前記記憶部は、前記映像信号に関する状態を示す情報を複数記憶可能に構成されていることを特徴とする。
【００２２】
このようなプロジェクターによれば、記憶部は、映像信号に関する状態を示す情報を複数記憶可能に構成されている。これにより、複数の状態を記憶することができるため、不具合の解析が容易になる。また、複数の不具合の解析が可能になる。
【００２３】
［適用例１０］上記適用例に係るプロジェクターにおいて、前記制御部は、前記映像信号の判別時、および、前記プロジェクターの電源オフ操作がなされたときの少なくとも一方で、前記映像信号に関する状態を示す情報を前記取得部に取得させ、前記記憶部に記憶させることを特徴とする。
【００２４】
このようなプロジェクターによれば、映像信号の種別の判別時、および、プロジェクターの電源オフ操作がなされたときの少なくとも一方で、映像信号に関する状態を示す情報を取得し、記憶部に記憶する。これにより、記憶された映像信号に関する状態を解析することによって、映像信号が正しく投写表示されない事態が発生した場合の不具合の解析が容易になる。
【００２５】
［適用例１１］上記適用例に係るプロジェクターにおいて、前記制御部は、前記映像信号に関する状態を監視し、前記映像信号に関する状態が不規則に変化していることを検出した場合に、前記映像信号に関する状態を示す情報を前記記憶部に記憶させることを特徴とする。
【００２６】
このようなプロジェクターによれば、制御部は、映像信号に関する状態が不規則に変化していることを検出した場合に、記憶部に記憶させる。また、表示させることができる。これにより、映像信号が不安定になった場合の不具合の解析が容易になる。
【００２７】
［適用例１２］上記適用例に係るプロジェクターにおいて、前記プロジェクター外部と通信可能な通信部をさらに備え、前記制御部は、前記記憶部に記憶された前記映像信号に関する状態を示す情報を読み出して、前記通信部に送信させることを特徴とする。
【００２８】
このようなプロジェクターによれば、制御部は、記憶部に記憶された映像信号に関する状態を示す情報を読み出して、通信部に送信させる。これにより、プロジェクター外部の機器は、プロジェクターから映像信号に関する状態を示す情報を読み出すことができる。よって、映像信号が正しく投写表示されない事態が発生した場合の不具合の解析が容易になる。
【００２９】
［適用例１３］上記適用例に係るプロジェクターにおいて、前記制御部は、前記取得部が取得した前記映像信号に関する状態を示す情報を、前記通信部に送信させることを特徴とする。
【００３０】
このようなプロジェクターによれば、制御部は、取得部が取得した映像信号に関する状態を示す情報を、通信部から送信させることができる。つまり、制御部は記憶部を介さずに、通信部から送信させることができる。これにより、外部の機器は、リアルタイムで、プロジェクターから映像信号に関する状態を示す情報を読み出すことが可能になる。
【００３１】
［適用例１４］上記適用例に係るプロジェクターにおいて、前記制御部は、前記映像信号に関する状態が不規則に変化していることを検出した場合に、前記プロジェクターを初期化する命令を発行することを特徴とする。
【００３２】
このようなプロジェクターによれば、制御部は、映像信号に関する状態が不規則に変化していることを検出した場合に、プロジェクターを初期化する命令を発行する。これにより、プロジェクターが初期化されると、映像信号に関する状態が不規則に変化している不具合を解消することができる場合がある。また、ユーザーに再起動などの煩わしい作業を行わせずに済むので操作性に富む装置を提供できる。
【００３３】
［適用例１５］上記適用例に係るプロジェクターにおいて、前記デジタル映像信号は、ＨＤＭＩ（登録商標）（High−Definition Multimedia Interface）、ＨＤＢａｓｅＴ（登録商標）、またはＤｉｓｐｌａｙＰｏｒｔのいずれかであることを特徴とする。
【００３４】
［適用例１６］本適用例に係るプロジェクターの制御方法は、光源と、前記光源から射出された光を映像信号に応じて変調する光変調装置と、前記光変調装置で変調された前記画像光を投写する投写光学系と、を有するプロジェクターの制御方法であって、前記プロジェクターは、前記プロジェクターの本体に備わる表示部を備え、前記映像信号に関する状態を示す情報を取得する取得ステップと、前記取得ステップによって取得された前記映像信号に関する状態を示す情報を前記表示部に表示させる制御ステップと、を備えることを特徴とする。
【００３５】
このようなプロジェクターの制御方法によれば、これにより、映像信号が正しく投写表示されない事態が発生した場合に、映像信号に関する状態を表示させることで、不具合の解析が容易になる。
【００３６】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００３７】
【図１】実施形態のプロジェクターの斜視図であり、（ａ）は、前方から見た斜視図、（ｂ）は、後方から見た斜視図。
【図２】実施形態に係るプロジェクターの概略構成を示すブロック図。
【図３】筐体の背面の一部を表す説明図。
【図４】ＨＤＭＩにおける映像供給装置とプロジェクターとの映像を表示するための手続きのシーケンスチャート。
【図５】プロジェクターの信号監視処理のフローチャート。
【図６】プロジェクターが複数の信号情報を記憶可能な場合の信号監視処理のフローチャート。
【図７】表示部に表示される信号情報の表示画面の一部の説明図。
【発明を実施するための形態】
【００３８】
（実施形態）
以下、実施形態として、映像信号に関する状態を示す情報を表示する表示部を有するプロジェクターについて説明する。
【００３９】
図１は、本実施形態のプロジェクターの斜視図であり、（ａ）は、前方から見た斜視図であり、（ｂ）は、後方から見た斜視図である。
図１（ａ）に示すように、プロジェクター１は、装置本体を収容する筐体５を備えて構成されており、筐体５の前面５ｆには、投写レンズ１３が露出されており、この投写レンズ１３から、映像信号に基づく映像が前方の投写面（図１では図示せず）に投写される。
【００４０】
筐体５の側面５ｓには、映像信号が入力される映像信号入力部３０が備えられている。映像信号入力部３０には、入力端子３０ａが複数備えられている。
【００４１】
筐体５の背面５ｒには、情報を表示する表示部２８、および、ユーザーにより入力操作が行われる操作パネル２１が備えられている。
【００４２】
図２は、本実施形態に係るプロジェクター１の概略構成を示すブロック図である。図２を使用して、プロジェクター１の内部構成について説明する。
【００４３】
プロジェクター１は、画像投写部１０、制御部２０、操作受付部としての操作パネル２１、光源制御部２２、記憶部２３、通信部２４、表示制御部２７、表示部２８、映像信号入力部３０、映像信号判別部３１、映像処理部３２、ＯＳＤ処理部３３等を備えている。これらの構成部は、筐体５（図１参照）に収容、または、配置されている。
【００４４】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。
【００４５】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００４６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳ等の投写面に拡大投写される。
【００４７】
制御部２０は、ＣＰＵ（Central Processing Unit）、各種データの一時記憶等に用いられるＲＡＭ（Random Access Memory）、不揮発性のメモリーであるＲＯＭ（Read Only Memory）等を備え、ＲＯＭに記憶されている制御プログラムに従ってＣＰＵが動作することにより、プロジェクター１の動作を統括制御する。また、制御部２０は、時計機能（図示せず）を備えており、時刻を検出することができる。時計機能が、計時部に相当する。さらに、制御部２０は、タイマー（図示せず）を有しており、所定の時間を計時することができる。
【００４８】
操作パネル２１は、プロジェクター１の筐体５の背面５ｒに備えられており、プロジェクター１に対して各種指示を行うための複数の操作キー（操作ボタン）等を備えている。
【００４９】
ここで、操作パネル２１について説明する。
図３は、筐体５の背面５ｒの一部を表す説明図である。
図３に示すように、筐体５の背面５ｒには、表示部２８および操作パネル２１が備えられている。表示部２８は、液晶ディスプレイ等で構成されている。
【００５０】
操作パネル２１が備える操作キーとしては、電源のオン／オフを行うための電源キーＢ０や、入力された画像情報を切り換えるための入力切換キーＢ１、各種設定を行うためのメニュー画面の表示／非表示を切り換えるメニューキーＢ２、フォーカス調整を開始するためのフォーカス調整開始キーＢ３、ズーム調整を開始するためのズーム調整開始キーＢ４、レンズシフト調整を開始するためのレンズシフト調整開始キーＢ５、メニュー画面におけるカーソルの移動や表示部２８の表示画面の切り換え等に用いられるカーソルキーＢ６、各種設定を決定するための決定キーＢ７等がある。ユーザーが操作パネル２１を操作すると、操作パネル２１は、ユーザーの操作内容に応じた制御情報を制御部２０に出力する。なお、操作パネル２１は上記した操作キー以外の操作キーを備えていても良い。
【００５１】
なお、操作パネル２１の代わりに、あるいは操作パネル２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００５２】
図２に戻り、光源制御部２２は、制御部２０の指示に基づいて、光源装置１１に対する電力の供給と停止とを制御し、光源装置１１の点灯および消灯を切り換える。
【００５３】
記憶部２３は、不揮発性のメモリーからなり、映像信号に関する状態の情報を記憶する。記憶部２３は、映像信号に関する状態の情報を、複数記憶可能とする。記憶部２３に対する書き込みおよび読み出しは、制御部２０が行う。制御部２０は、プロジェクター１の入力映像信号の変化時や映像信号の状態の変化時、および電源オフ時に、映像信号に関する状態の情報を記憶部２３に書き込む。このとき、制御部２０は、時刻情報も記憶部２３に書き込む。制御部２０は、ユーザーによる読み出し操作等が行われた際に、映像信号に関する状態の情報の読み出しを行い、表示制御部２７に指示を出して表示部２８に表示させたり、通信部２４から送信させたりする。
【００５４】
通信部２４は、制御部２０の指示に基づいて、例えばパーソナルコンピューター（ＰＣ）等の外部の機器（図示せず）との間で通信を行う。具体的には、通信部２４は、外部の機器の要求を受信すると制御部２０に通知し、制御部２０の指示に基づいて、映像信号に関する状態の情報を外部の機器に送信する。通信部２４は、記憶部２３に記憶されている映像信号に関する状態の情報を送信したり、映像信号判別部３１および制御部２０が取得した映像信号に関する状態を送信したりすることができる。通信部２４が用いる通信手段は、ＩＰ（Internet Protocol）ネットワーク通信を用いた通信手段としてもよいし、ＲＳ−２３２ＣやＵＳＢによる通信を用いた通信手段としてもよい。また、これらに限定されず、その他の通信手段を用いてもよい。
【００５５】
表示制御部２７は、表示部２８に対する画像表示を制御する。表示制御部２７は、図示しないＶＲＡＭ（Video RAM）を備えており、制御部２０の指示に基づいて、ＶＲＡＭ上に画面単位で、映像信号に関する状態や情報等の画像データを生成し、生成した画像データを表示部２８に出力して、画像データに基づく画像を表示部２８に表示させる。
【００５６】
表示部２８は、例えば、液晶ディスプレイによって構成され、表示制御部２７から入力される画像データに応じた画像を表示する。なお、本実施形態では、表示部２８を駆動する表示駆動部（図示せず）は、表示部２８に内蔵されているものとする。なお、表示部２８は液晶ディスプレイに限定するものではなく、他の表示装置によって構成されてもよい。
【００５７】
表示制御部２７および表示部２８は、プロジェクター１が通常に起動して投写している状態、および、プロジェクター１が投写を行っておらず、ネットワークによる操作が可能な状態（「ネットワークスタンバイ状態」とも呼ぶ。）においても、制御部２０からの指示により、画像データに応じた画像を表示可能とする。プロジェクター１が通常に起動して投写している状態が、第１の状態に相当し、ネットワークスタンバイ状態が、第２の状態に相当する。
【００５８】
映像信号入力部３０は、複数の入力端子３０ａを備えており、パーソナルコンピューター（ＰＣ）やビデオ再生装置、メモリーカード、ＵＳＢストレージ、デジタルカメラ等、外部の映像供給装置（図示せず）から各種形式の映像信号（画像情報）が入力される。複数の入力端子３０ａとしては、デジタル映像信号端子として、ＨＤＭＩ端子、ＨＤＢａｓｅＴ端子、ＤｉｓｐｌａｙＰｏｒｔ端子、ＳＤＩ端子、Ｔｈｕｎｄｅｒｂｏｌｔ（登録商標）端子等を備えており、アナログ映像入力端子としては、ＶＧＡ端子、ＣＶＢＳ端子、Ｓ−Ｖｉｄｅｏ端子等を備えている。また、映像信号入力部３０は、ＷｉｒｅｌｅｓｓＨＤ等の無線伝送に対応していてもよい。図２では、分かりやすさのため、デジタル映像信号端子については、デジタル制御信号端子３０ａ１およびデジタル映像信号端子３０ａ２に分けて記載している。アナログ映像信号端子も、制御信号端子と映像信号端子が分かれている場合があるが、図２では簡略化のため、アナログ映像信号端子３０ａ３の１つにまとめて記載している。なお、入力端子３０ａは上述した種類の入力端子に限定するものではなく、他の入力端子を有してもよい。
【００５９】
映像信号入力部３０は、制御部２０からの指示に基づいて映像信号を選択し、入力される映像信号を、映像信号判別部３１に出力して、映像信号の種別や状態を判別させる。そして、映像信号入力部３０は、映像信号判別部３１からの判別情報に基づいて、映像信号を映像処理部３２で処理可能な形式の映像データに変換して、映像処理部３２に出力する。
【００６０】
映像信号判別部３１は、各種デジタル映像信号のレシーバーデバイスや、Ａ／Ｄコンバーター等（いずれも図示せず）を有して構成され、映像信号入力部３０から入力される映像信号の種別や状態を判別する。映像信号判別部３１のデジタル映像信号のレシーバーデバイスは、デジタル制御信号等を用いて、映像を表示するための手続きを映像供給装置との間で行う。具体的には、デジタル映像信号のレシーバーデバイスは、映像供給装置とプロジェクター１との物理的な接続検知処理（例えばホットプラグ検知処理）、プロジェクター１の表示特性取得処理（例えばＥＤＩＤ取得処理）、映像供給装置とプロジェクター１とのコピープロテクト認証処理（例えばＨＤＣＰ認証処理）等を行う。さらに、デジタル映像信号のレシーバーデバイスは、通信におけるエラー率取得処理、メインデータチャネルのレーン数取得処理等を行う場合もある。これらの処理は、制御部２０とレシーバーデバイスとが協業して行われるものもある。なお、このような映像を表示するための手続きにおいて行われる処理は、デジタル映像信号の種別によって異なる。
【００６１】
デジタル映像信号のレシーバーデバイスは、映像信号に関する情報や状態を表す複数のレジスターを備えている。制御部２０は、これらのレジスターの値を読み出して、映像信号の状態や情報を判断し、記憶部２３に記憶させたり、表示制御部２７に指示を出して表示部２８に表示させたりする。このような映像信号の状態や情報を、「信号情報」と呼ぶ。そして、制御部２０は、これらのレジスターの値の状態、および制御部２０自身の状態によって、映像を表示するための手続きが正しく行われたか否かを確認することができる。
【００６２】
また、制御部２０は、これらのレジスターの値等が不規則に変化しているか否かを判断することができる。例えば、制御部２０に内蔵するタイマー等で、所定のタイミングでレジスターの値を判定することで、不規則な変化をしているか否かを判断する。このように、制御部２０が、レジスターの値が不規則に変化している、即ち映像信号が不安定であると判断した場合、制御部２０は、記憶部２３に映像信号に関する状態や情報、さらには時刻情報を記憶する。
【００６３】
また、制御部２０が、レジスターの値が不規則に変化している、即ち映像信号が不安定であると判断した場合、制御部２０は、プロジェクター１を初期化する初期化命令を発行することもできる。このように映像信号が不安定の場合に、初期化命令を発行するか否かは、予め、プロジェクター１のメニュー等で設定しておくことが可能である。
【００６４】
ここで、映像供給装置とプロジェクター１との映像を表示するための手続きについて説明する。
図４は、ＨＤＭＩにおける映像供給装置とプロジェクター１との映像を表示するための手続きのシーケンスチャートである。
【００６５】
映像供給装置２とプロジェクター１とをＨＤＭＩケーブルで接続すると、映像供給装置２は、＋５ＶのＰｏｗｅｒをプロジェクター１に供給する（シーケンスＳＱ１）。プロジェクター１は、＋５ＶのＰｏｗｅｒを検出するとホットプラグ検知を映像供給装置２に通知する（シーケンスＳＱ２）。
【００６６】
映像供給装置２は、プロジェクター１からＥＤＩＤを取得する（シーケンスＳＱ３）。映像供給装置２とプロジェクター１とは、機種間認証を行う（シーケンスＳＱ４）。そして、映像供給装置２は、プロジェクター１に、映像信号の伝送を開始する（シーケンスＳＱ５）。プロジェクター１は、映像信号に基づいた映像表示（投写）を開始する（シーケンスＳＱ６）。
【００６７】
図２に戻り、映像処理部３２は、制御部２０の指示に基づいて、映像信号入力部３０から入力される映像データに対して、明るさ、コントラスト、シャープネス、色合い等の調整や、ガンマ補正等の各種画質調整を施す。映像処理部３２は、このような調整および処理を行った映像データをＯＳＤ処理部３３に出力する。
【００６８】
ＯＳＤ処理部３３は、制御部２０の指示に基づいて、メニュー画面やメッセージ画面等のＯＳＤ（オンスクリーンディスプレイ）画像を、映像処理部３２から入力される映像データに重畳する処理を行う。ＯＳＤ処理部３３は、図示しないＯＳＤメモリーを備えており、ＯＳＤ画像を形成するための図形やフォント等を表すＯＳＤ画像データを記憶している。制御部２０が、ＯＳＤ画像の重畳を指示すると、ＯＳＤ処理部３３は、必要なＯＳＤ画像データをＯＳＤメモリーから読み出し、入力映像の所定の位置にＯＳＤ画像が重畳されるように、映像処理部３２から入力される映像データにこのＯＳＤ画像データを合成する。ＯＳＤ画像データが合成された映像データは、液晶駆動部１４に出力される。なお、制御部２０からＯＳＤ画像を重畳する旨の指示がない場合には、ＯＳＤ処理部３３は、映像処理部３２から出力される映像データを、そのまま液晶駆動部１４に出力する。
【００６９】
液晶駆動部１４が、ＯＳＤ処理部３３から入力される映像データに従って液晶ライトバルブ１２Ｒ，１２Ｇ，１２Ｂを駆動すると、液晶ライトバルブ１２Ｒ，１２Ｇ，１２Ｂは、光源装置１１から入射する光を、映像データに応じて画像光に変調し、この画像光が投写レンズ１３から投写される。
【００７０】
次に、プロジェクター１の入力信号の信号情報（状態）に変化があった場合に、信号情報を記憶して表示部２８に表示する処理について、フローチャートを用いて説明する。
図５は、プロジェクター１の信号監視処理のフローチャートである。
【００７１】
制御部２０は、映像信号判別部３１からの通知に基づいて、入力信号に変化があるか否かを検出する（ステップ：Ｓ１０１）。入力信号に変化がない場合（ステップＳ１０１：ＮＯ）、ステップＳ１０３に移行する。
【００７２】
入力信号に変化があった場合（ステップＳ１０１：ＹＥＳ）、制御部２０および映像信号判別部３１は、入力信号の種別を判別する（ステップＳ１０２）。制御部２０は、映像信号判別部３１および制御部２０自身から、信号情報（状態）を取得する（ステップＳ１０３）。この映像信号判別部３１および制御部２０が、取得部に相当する。制御部２０は、取得した信号情報が、記憶部２３に記憶されている信号情報と異なっているか否かを判断する（ステップＳ１０４）。記憶部２３に記憶されている信号情報と同じである場合（ステップＳ１０４：ＮＯ）、ステップＳ１０１に戻り、入力信号の変化を監視する。
【００７３】
記憶部２３に記憶されている信号情報と異なっている場合（ステップＳ１０４：ＹＥＳ）、制御部２０は、信号情報を記憶部２３に記憶させる（ステップＳ１０５）。このとき、制御部２０は、時刻情報についても記憶部２３に記憶させる。制御部２０は、表示制御部２７に指示を出して、表示部２８に信号情報を表示させる（ステップＳ１０６）。そして、ステップＳ１０１に戻り、信号の監視を続ける。なお、図示は省略するが、上述した信号監視処理は、制御部２０の判断によって、開始されたり終了されたりする。
【００７４】
次に、プロジェクター１の記憶部２３に複数の信号情報（状態）を記憶可能であり、入力信号の信号情報を記憶して表示部２８に表示する処理について、フローチャートを用いて説明する。
図６は、プロジェクター１が複数の信号情報を記憶可能な場合の信号監視処理のフローチャートである。
【００７５】
制御部２０は、映像信号判別部３１からの通知に基づいて、入力信号に変化があるか否かを検出する（ステップ：Ｓ２０１）。入力信号に変化がない場合（ステップＳ２０１：ＮＯ）、ステップＳ２０３に移行する。
【００７６】
入力信号に変化がある場合（ステップＳ２０１：ＹＥＳ）、制御部２０および映像信号判別部３１は、入力信号の種別を判別する（ステップＳ２０２）。制御部２０は、映像信号判別部３１および制御部２０自身から、信号情報（状態）を取得する（ステップＳ２０３）。
【００７７】
制御部２０は、信号情報が直前（前回）の信号情報と異なるか否かを判定する（ステップＳ２０４）。直前の信号情報と一致する場合（ステップＳ２０４：ＮＯ）は、ステップＳ２０１に戻る。直前の信号情報と異なる場合（ステップＳ２０４：ＹＥＳ）、制御部２０は、記憶部２３に今回取得した信号情報と一致する信号情報が記憶されているか否かを判定する（ステップＳ２０５）。
【００７８】
今回取得した信号情報と一致する信号情報が記憶されている場合（ステップＳ２０５：ＹＥＳ）、制御部２０は、記憶部２３から、一致した信号情報を読み出す（ステップＳ２０６）。制御部２０は、表示制御部２７に指示を出して、読み出した信号情報を表示部２８に表示させる（ステップＳ２０７）。制御部２０は、一致した信号情報に基づいて、映像信号の設定を変更する（ステップＳ２０８）。そして、ステップＳ２０１に戻り、入力信号の監視を続ける。
【００７９】
今回取得した信号情報と一致する信号情報が記憶されていない場合（ステップＳ２０５：ＮＯ）、制御部２０は、取得した信号情報を記憶部２３に記憶（追記）させる（ステップＳ２０９）。このとき、制御部２０は、時刻情報についても記憶部２３に記憶させる。制御部２０は、表示制御部２７に指示を出して、取得した信号情報を表示部２８に表示させる（ステップＳ２１０）。制御部２０は、取得した信号情報に基づいて、映像信号の設定を変更する（ステップＳ２１１）。そして、ステップＳ２０１に戻り、信号の監視を続ける。なお、図示は省略するが、上述した信号監視処理は、制御部２０の判断によって、開始されたり終了されたりする。
【００８０】
ここで、制御部２０が、表示部２８に表示させたり、記憶部２３に記憶させたりする信号情報について説明する。
映像信号がＨＤＭＩ信号の場合には、ＨＤＣＰ、ＥＤＩＤ、Ｓｉｇｎａｌ  Ｉｎｆｏｍａｔｉｏｎ（信号情報）、Ｃｏｌｏｒ  Ｓｐａｃｅ（色情報・信号の方式や規格）、色情報のＢｉｔ数（階調レベル（分解能））等に関係する信号情報（状態）が、表示されたり記憶されたりする。
【００８１】
映像信号がＨＤＢａｓｅＴ信号の場合には、エラー率、ＨＤＣＰ、ＥＤＩＤ、Ｓｉｇｎａｌ  Ｉｎｆｏｍａｔｉｏｎ（信号情報）、Ｃｏｌｏｒ  Ｓｐａｃｅ（色情報・信号の方式や規格）、色情報のＢｉｔ数（階調レベル（分解能））等に関係する信号情報が、表示されたり記憶されたりする。
【００８２】
映像信号がＤｉｓｐｌａｙＰｏｒｔ信号の場合には、レーン数、ＤＰＣＰ、ＥＤＩＤ、Ｓｉｇｎａｌ  Ｉｎｆｏｍａｔｉｏｎ（信号情報）、Ｃｏｌｏｒ  Ｓｐａｃｅ（色情報・信号の方式や規格）、色情報のＢｉｔ数（階調レベル（分解能））等に関係する信号情報が、表示されたり記憶されたりする。
【００８３】
映像信号がＳＤＩ信号の場合には、解像度、規格、Ｃｏｌｏｒ  Ｓｐａｃｅ（色情報・信号の方式や規格）、色情報のＢｉｔ数（階調レベル（分解能））等に関係する信号情報が、表示されたり記憶されたりする。
【００８４】
図７は、表示部２８に表示される信号情報の表示画面の一部の説明図である。
図７に示すように、表示部２８には、映像信号に関する状態を示す情報が表示される。より具体的に、表示部２８には、表示画面Ｇ１，Ｇ２，Ｇ３，Ｇ４のような信号情報（状態）を表す画面が表示される。表示部２８に表示される表示画面は、これだけではなく、他にも様々な表示画面を表示する。例えば、信号状態を表す画面の他に、プロジェクター１のシステム状態（動作状態）を示す情報を表示したり、各種異常が発生した際に、それらの異常が発生したことを示す情報を表示したりすることもできる。また、信号情報（状態）の変化時刻や各種異常の発生時刻を表示したりすることもできる。
【００８５】
ここでは、表示画面Ｇ１，Ｇ２，Ｇ３，Ｇ４には、信号情報名、および、その値または状態が表示部２８に表示されている。本実施形態では表示画面Ｇ１，Ｇ２，Ｇ３，Ｇ４では、４行の表示を行い、１画面には２つの信号情報（状態）を表示可能としている。なお、表示部２８の表示態様は、これに限定するものではない。また、表示画面の切り換えは、操作パネル２１に備わるカーソルキーＢ６によって切り換え可能とする。これらの信号情報は、記憶部２３にも記憶されている。
【００８６】
上述した実施形態によれば、以下の効果が得られる。
（１）プロジェクター１は、光源装置１１から射出された光を変調して投写する投写レンズ１３の他に、プロジェクター１の本体に表示部２８を備える。映像信号判別部３１および制御部２０は、映像信号に関する状態を取得する。制御部２０は、表示制御部２７に指示を出して、映像信号に関する状態や情報（信号情報）を表示部２８に表示させる。これにより、映像信号が正しく投写表示されない事態が発生した場合に、表示部２８を視認することで、不具合の解析を容易に行うことができる。そして、市場で発生した不具合についても、解析が容易になり、不具合に対する対処を早く実施することが可能になるため有益である。また、映像信号に関する状態の表示は、ネットワークスタンバイの状態でも表示可能であるため、不具合解析の利便性が向上する。
【００８７】
（２）プロジェクター１では、映像信号判別部３１および制御部２０は、デジタル映像信号を供給する映像供給装置２とプロジェクター１とが、映像を表示（投写）するために行う手続き（ステップ）上の状態を取得する。これにより、デジタル映像信号において、映像信号が正しく投写表示されない事態が発生した場合に、映像を表示するために行う手続き上の状態（信号情報）を表示部２８に表示することで、手続きがどこまで行われているかを認識することが可能になり、不具合の解析、不具合箇所の特定が容易になる。そして、不具合に対する対処を実施することが可能になる。
【００８８】
（３）プロジェクター１によれば、映像を表示（投写）するために行う手続きには、ホットプラグ検知処理（接続検知処理）、ＥＤＩＤ取得処理（表示特性取得処理）、ＨＤＣＰ認証処理（コピープロテクト認証処理）、通信におけるエラー率取得処理、メインデータチャネルのレーン数取得処理の少なくとも１つを含んでいる。これら種類や名称は、デジタル映像信号の種別によって異なる場合がある。これにより、デジタル映像信号において、映像信号が正しく投写表示されない事態が発生した場合に、上記の映像を表示するために行う手続き上の状態を示す情報を表示部２８に表示することで、不具合の解析、不具合箇所の特定が容易になる。
【００８９】
（４）プロジェクター１の記憶部２３は、映像信号判別部３１および制御部２０が取得した映像信号に関する状態や情報（信号情報）、さらには時刻情報を記憶する。そして、表示部２８に表示させることができる。これにより、記憶された映像信号に関する状態や情報を解析することによって、過去に映像信号が正しく投写表示されない事態が発生した場合の不具合の解析が容易になる。また、記憶部２３は、映像信号に関する状態や情報を複数記憶可能に構成されている。これにより、複数の状態を記憶することができるため、不具合の解析が容易になる。
【００９０】
（５）プロジェクター１の記憶部２３は、映像信号の信号情報を複数記憶する。このため、入力信号が切り替わった際（信号判別の際）に行う、入力映像信号を表示（投写）させるための信号設定処理時に、記憶部２３に記憶された信号情報を使用することが可能となり、信号設定処理時における設定の変更処理を簡略化することが可能である。また、複数の入力信号がある場合には、信号が切り換えられた際の信号設定処理時における設定の変更処理を、速く最適な状態にすることができるため、有益である。
【００９１】
（６）プロジェクター１は、映像信号の判別時や信号情報の変化時、および、プロジェクター１の電源オフ操作がなされたときに、映像信号に関する状態や情報を取得し、記憶部２３に記憶する。これにより、映像信号の変化時、および、電源オフ時に記憶された映像信号に関する状態や情報を解析することによって、映像信号が正しく投写表示されない事態が発生した場合の不具合の解析が容易になる。また、入力信号が切り替わった際（信号判別の際）に行う、入力映像信号を表示（投写）させるための信号設定処理時に、記憶部２３に記憶された信号情報を使用することができるため、信号設定処理時における設定の変更処理を簡略化することが可能である。
【００９２】
（７）プロジェクター１の制御部２０は、映像信号に関する状態が不規則に変化していることを検出した場合に、記憶部２３に信号情報を記憶させる。これにより、映像信号が不安定になった場合の不具合の解析が容易になる。
【００９３】
（８）プロジェクター１の制御部２０は、記憶部２３に記憶された映像信号に関する状態や情報を読み出して、通信部２４に送信させる。これにより、プロジェクター１の外部の機器は、プロジェクター１から映像信号に関する状態や情報を読み出すことができる。プロジェクター１の外部の機器は、ＩＰネットワーク通信や、ＲＳ−２３２Ｃ、ＵＳＢ等による通信手段を用いることができる。このように、映像信号が正しく投写表示されない事態が発生した場合の不具合の解析を、表示部２８だけに頼らず、外部の機器で行うことができるため、有益である。また、ＩＰネットワーク通信を用いれば、遠隔地からの解析も可能である。
【００９４】
（９）プロジェクター１の制御部２０は、映像信号判別部３１および制御部２０が取得した映像信号に関する状態を、通信部２４から送信させることができる。つまり、映像信号に関する状態を記憶部２３に記憶させることなく、通信部２４から送信させることができる。これにより、外部の機器は、リアルタイムで、プロジェクター１から映像信号に関する状態を読み出すことが可能になるため、不具合発生現場での解析に好適である。
【００９５】
（１０）プロジェクター１の制御部２０は、映像信号に関する状態が不規則に変化していることを検出した場合に、プロジェクター１を初期化する命令を発行することができる。これにより、プロジェクター１が初期化されると、映像信号に関する状態が不規則に変化している不具合を解消することができる場合があるため、有益である。
【００９６】
（１１）プロジェクター１で投写可能なデジタル映像信号は、ＨＤＭＩ、ＨＤＢａｓｅＴ、ＤｉｓｐｌａｙＰｏｒｔのいずれかを含んでいる。プロジェクター１では、これらのデジタル映像信号が正しく投写表示されない事態が発生した場合に、映像を表示するために行う手続き上の状態や、解像度、規格、Ｓｉｇｎａｌ  Ｉｎｆｏｍａｔｉｏｎ（信号情報）、Ｃｏｌｏｒ  Ｓｐａｃｅ（色情報・信号の方式や規格）、色情報のＢｉｔ数（階調レベル（分解能））等に関係する信号情報（状態）を表示部２８に表示することができる。また、通信部２４によって外部の機器に送信したりすることもできる。よって、不具合の解析が容易になる。また、デジタル映像信号として、ＳＤＩ信号の投写も可能としてもよい。ＳＤＩ信号の場合には、解像度、規格、Ｓｉｇｎａｌ  Ｉｎｆｏｍａｔｉｏｎ（信号情報）、Ｃｏｌｏｒ  Ｓｐａｃｅ（色情報・信号の方式や規格）、色情報のＢｉｔ数（階調レベル（分解能））等に関係する信号情報（状態）を表示することができる。
【００９７】
なお、上述した実施形態に限定されず、種々の変更や改良等を加えて実施することが可能である。変形例を以下に述べる。
【００９８】
（変形例１）上記実施形態では、各種の信号情報（状態）を表示部２８に表示するものとしたが、表示部２８と共に、画像投写部１０から投写を行ってもよい。
【００９９】
（変形例２）上記実施形態では、記憶部２３は、映像信号に関する状態の情報を、複数記憶可能としたが、単数だけを記憶可能としてもよい。
【０１００】
（変形例３）上記実施形態では、映像信号の判別時や信号情報の変化時、および、プロジェクター１の電源オフ操作がなされたときに、映像信号に関する状態や情報を取得し、記憶部２３に記憶するものとしたが、定期的に映像信号に関する状態や情報を取得し、記憶部２３に記憶してもよい。
【０１０１】
（変形例４）上記実施形態では、光源装置１１は、放電型の光源ランプ１１ａを有して構成されているが、ＬＥＤ（Light Emitting Diode）光源やレーザー等の固体光源や、その他の光源を用いることもできる。
【０１０２】
（変形例５）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【符号の説明】
【０１０３】
１…プロジェクター、２…映像供給装置、５…筐体、５ｆ…前面、５ｒ…背面、５ｓ…側面、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作パネル、２２…光源制御部、２３…記憶部、２４…通信部、２７…表示制御部、２８…表示部、３０…映像信号入力部、３０ａ…入力端子、３０ａ１…デジタル制御信号端子、３０ａ２…デジタル映像信号端子、３０ａ３…アナログ映像信号端子、３１…映像信号判別部、３２…映像処理部、３３…ＯＳＤ処理部。
【図１】
2015169754.tif 000003
【図２】
2015169754.tif 000004
【図３】
2015169754.tif 000005
【図４】
2015169754.tif 000006
【図５】
2015169754.tif 000007
【図６】
2015169754.tif 000008
【図７】
2015169754.tif 000009